(57)【要約】【課題】本発明は、丸角部を有する出隅部のコーナー外表面にコーナー造作部材を装着したとき、該丸角部とコーナー造作部材との間に生ずる隙間を極力小さくできるようにしたコーナー造作部材を提供する。【解決手段】基材１の表面に貼り付けた可撓性を有する表面材２と、該基材１の裏面に複数個のＶ字溝１１を、該Ｖ字溝１１の底角部１１１が該表面材２の裏面に到達するよう形成してなるコーナー造作部材３を構成し、該コーナー造作部材３が上記出隅部のコーナー外表面に沿って折り曲げられた状態で装着されたとき該Ｖ字溝１１の一対の傾斜壁１１２、１１２を互いに過不足なく面接触させ、且つ、Ｖ字溝１１、１１で両側を仕切られたコーナー片１２を出隅部の丸角部４に押接する。【選択図】　図１
2004116003.tif 000002
【特許請求の範囲】
【請求項１】
丸角部を有する出隅部のコーナー外表面に沿って折り曲げられた状態で装着されるコーナー造作部材において、基材と、該基材の表面に貼り付けた可撓性を有する表面材と、該基材の裏面に複数個のＶ字溝を、該Ｖ字溝の底角部が該表面材の裏面に到達するよう形成してなるコーナー造作部材を構成し、該コーナー造作部材が上記出隅部のコーナー外表面に沿って折り曲げられた状態で装着されたとき該Ｖ字溝の一対の傾斜壁を互いに過不足なく面接触させ、且つ、Ｖ字溝で両側を仕切られたコーナー片の内面を出隅部の丸角部に押接させたことを特徴とするコーナー造作部材。
【請求項２】
上記Ｖ字溝で両側を仕切られたコーナー片を２個以上形成するとともに、該全てのコーナー片の内面を出隅部の丸角部に押接させた請求項１記載のコーナー造作部材。
【請求項３】
上記Ｖ字溝で両側を仕切られた全てのコーナー片の水平断面形状を左右対称の台形とした請求項１記載のコーナー造作部材。
【請求項４】
上記Ｖ字溝で両側を仕切られたコーナー片の水平断面形状を左右非対称の台形とした請求項１記載のコーナー造作部材。
【請求項５】
上記複数のＶ字溝の底角部のそれぞれの角度を同値にした請求項２記載のコーナー造作部材。
【発明の詳細な説明】
【０００１】
【発明の属する技術分野】
本発明は、丸角部を有する出隅部のコーナー外表面に沿って折り曲げられた状態で装着されるコーナー造作部材に係り、例えば、室内の幅木や回り縁に使用されるコーナー造作部材に関するものである。
【０００２】
【従来の技術】
従来、室内の丸角部を有する出隅部の外表面に沿って見切り縁を装着する場合、該見切り縁を曲げ易くするために、見切り縁に複数個の縦溝を形成したものがある（例えば、特許文献１参照。）。又、出隅部の幅木等に使用されるコーナ付化粧板材において、Ｖ字溝を形成し該Ｖ字溝を閉じるように該コーナ付化粧板材を直角に曲げて使用するものもあった（例えば、特許文献２参照。）。
【０００３】
【特許文献１】
実開平４−４７０４５号公報（第１頁、図１〜図３）
【特許文献２】
実開平６３−１６２０４７号公報（第１頁、図１〜図４）
【０００４】
【発明が解決しようとする課題】
上記特許文献１記載の見切り縁には、横断面矩形状の縦溝であるから、該見切り縁が出隅部に沿って曲げられた後も、該縦溝が完全に閉じることはなく、該縦溝に隙間が残るという問題があった。又、上記特許文献２記載のコーナ付化粧板材は、二つのＶ溝が隣接して形成されているが、該コーナ付化粧板材を直角に曲げたとき、該隣接するＶ溝間の頂部が折り曲げ内面から突出し、該コーナ付化粧板材を出隅部の外表面に装着するとき、該頂部が邪魔になるという問題があった。本発明は、コーナー造作部材に複数個のＶ字溝を形成し、コーナー造作部材を曲げたとき該閉じたＶ字溝に隙間が残らないようにするとともに、コーナー造作部材を曲げたときその内面に突起物が存在せず、該内面が出隅部の丸角部によく押接するようにしたコーナー造作部材を提供することを課題とする。
【０００５】
【課題を解決するための手段】
本発明は、上記課題を解決するために、次のような技術的手段を講じている。すなわち、請求項１記載の発明は、丸角部を有する出隅部のコーナー外表面に沿って折り曲げられた状態で装着されるコーナー造作部材において、基材と、該基材の表面に貼り付けた可撓性を有する表面材と、該基材の裏面に複数個のＶ字溝を、該Ｖ字溝の底角部が該表面材の裏面に到達するよう形成してなるコーナー造作部材を構成し、該コーナー造作部材が上記出隅部のコーナー外表面に沿って折り曲げられた状態で装着されたとき該Ｖ字溝の一対の傾斜壁を互いに過不足なく面接触させ、且つ、Ｖ字溝で両側を仕切られたコーナー片の内面を出隅部の丸角部に押接させたことを特徴とするコーナー造作部材である。このような構成により、該コーナー造作部材を出隅部の丸角部の外表面に沿って装着したとき、それぞれのＶ字溝の一対の傾斜壁は互に過不足なく面接触し、該Ｖ字溝が完全に閉じられて隙間が生じないのであり、また、閉じたＶ字溝が基材の内面から突出しないので、基材が該丸角部に馴染みやすく、更に、Ｖ字溝で両側を仕切られたコーナー片の内面が丸角部に線接触状態で押接するので該コーナー造作部材が該丸角部にしっかりと装着されるとともに、該コーナー造作部材と該丸角部との間の隙間も最小限に押さえられるのである。
【０００６】
請求項２記載の発明は、請求項１記載のコーナー造作部材において、上記Ｖ字溝で両側を仕切られたコーナー片を２個以上形成するとともに、該全てのコーナー片の内面を出隅部の丸角部に押接させたコーナー造作部材である。このような構成により、複数個のコーナー片の内面が出隅部の丸角部に押接し、該コーナー造作部材を一層確実に出隅部に装着できるのである。
【０００７】
請求項３記載の発明は、請求項１記載のコーナー造作部材において、上記Ｖ字溝で両側を仕切られた全てのコーナー片の水平断面形状を左右対称の台形としたコーナー造作部材である。このような構成により、コーナー造作部材を出隅部の丸角部に装着したとき、該コーナー造作部材の湾曲部における外形はその水平断面形状が左右同一外形となり、体裁がよいのである。
【０００８】
更に、請求項４記載の発明は請求項１記載のコーナー造作部材において、上記Ｖ字溝で両側を仕切られたコーナー片の水平断面形状を左右非対称の台形とした請求項１記載のコーナー造作部材である。このような構成により、コーナー造作部材を出隅部の丸角部に装着したとき、該コーナー造作部材の湾曲部における外形はその水平断面形状が左右非対称の外形となり、顧客の要求に応じてコーナー造作部材の装着外形を選択できるのである。
【０００９】
請求項５記載の発明は、請求項２記載のコーナー造作部材において、上記複数のＶ字溝の底角部のそれぞれの角度を同値にした請求項１記載のコーナー造作部材である。このような構成により、コーナー片が同一の形状大きさになり、コーナー造作部材を出隅部の丸角部に装着したとき、該コーナー造作部材の湾曲部における外形はその平断面形状が左右対称の外形となり、美観の向上を図ることができるのである。
【００１０】
【発明の実施の形態】
以下、本発明の好ましい実施の形態について、図面を参照してより詳細に説明する。図１は本発明に係るコーナー造作部材の第一実施例の使用状態を示す部分平断面図、図２は第一実施例のコーナー造作部材の使用前の部分平面図である。図において、１は基材であって木製、合成樹脂製等の帯板からなる。２は合成樹脂製の化粧シート等からなる表面材で可撓性を有している。基材１はその表面に表面材２を貼り付けている。図２に示す如く、該第一実施例は基材１の裏面に２個のＶ字溝１１が間隔Ｂをおいて、該Ｖ字溝１１の底角部１１１が該表面材２の裏面に到達するよう形成している。該基材１と表面材２とＶ字溝１１とでコーナー造作部材３を構成している、該底角部１１１の角度αは４５度であり、該角度αは垂直軸（図示せず）に対して左右対称に形成されている。従って、コーナー造作部材３を折り曲げたときその折り曲げ角度は９０度になり、該Ｖ字溝１１の一対の傾斜壁１１２、１１２は互いに過不足なく面接触する。従って、コーナー造作部材の折り曲げられた内面に、いずれか一方の傾斜壁が突出するというようなことはない。２個のＶ字溝１１、１１で両側を仕切られたコーナー片１２はその水平断面形状が、左右対称の台形となっている。４は出隅部の丸角部、５は柱、６は内装壁、７は内装壁６の表面の化粧シートである。柱５には直交状態で内装壁６、６が取り付けられて出隅部が形成されている。出隅部の先端は丸角部４となっており、該丸角部４は水平断面が４分の１円の大きさの扇形をしたジョイナーで構成されている。図１に示す如く、該丸角部４の外周面の中央の縦軸上に上記左右対称の台形となっているコーナー片１２の中央部が線接触している。第一実施例における寸法関係は、丸角部４の半径Ｒが１５ｍｍ、図２において、内装壁６の厚みＡが９ｍｍ、間隔Ｂが１２．４ｍｍ、間隔Ｃが７．５ｍｍ、間隔Ｄが１９．９ｍｍである。
【００１１】
図３、図４は本発明の第二実施例を示すものであり、該第二実施例は、水平断面形状が、左右対称の台形となっているコーナー片１２を２個形成したものである。該第二実施例においては、内装壁６の化粧シート７を省略し、かつ、出隅部の丸角部４は該内装壁６、６で形成している。８は内装壁６、６の突合せ境界部である。図３において、２個のコーナー片１２、１２はそれぞれ丸角部４を線接触状態で押接している。第二実施例における寸法関係は、丸角部４の半径Ｒが１５ｍｍ、内装壁６の厚みＡが９ｍｍ、間隔Ｅが４．８ｍｍ、間隔Ｆが８ｍｍ、間隔Ｇが１２．９ｍｍである。全ての角度αは３０度であり。三つのＶ字溝１１の底角部１１１の角度αの合計は９０度となっている。
【００１２】
図５、図６は本発明の第三実施例を示すものであり、該第三実施例は、水平断面形状が、左右対称の台形となっているコーナー片１２を３個形成したものである。該第三実施例においては、第二実施例と同様に、内装壁６の化粧シート７を省略し、かつ、出隅部の丸角部４は該内装壁６、６で形成している。図５において、３個のコーナー片１２、１２、１２はそれぞれ丸角部４を線接触状態で押接している。第三実施例における寸法関係は、丸角部４の半径Ｒが１５ｍｍ、内装壁６の厚みＡが９ｍｍ、間隔Ｈが３．６ｍｍ、間隔Ｊが６ｍｍ、間隔Ｋが９．５ｍｍである。全ての角度αは２２．５度であり。四つのＶ字溝１１の底角部１１１の角度αの合計は９０度となっている。
【００１３】
図７は本発明の第四実施例を示すものであり、該第四実施例では、Ｖ字溝１１、１１で両側を仕切られたコーナー片１２の水平断面形状が、左右非対称の台形としたものである。図７に示す如く、該左右非対称の台形であるコーナー片１２の内面は片寄った状態で丸角部４を線接触状態で押接している。第四実施例では左右非対称の台形であるコーナー片１２の両側のＶ字溝１１、１１の底角部１１１、１１１の角度α（図示せず）は互いに異なっているが該二つの角度α（図示せず）の合計は９０度となっている。
【００１４】
【発明の効果】
以上述べたように、請求項１記載の発明は、丸角部４を有する出隅部のコーナー外表面に沿って折り曲げられた状態で装着されるコーナー造作部材において、基材１と、該基材１の表面に貼り付けた可撓性を有する表面材２と、該基材１の裏面に複数個のＶ字溝１１を、該Ｖ字溝１１の底角部１１１が該表面材２の裏面に到達するよう形成してなるコーナー造作部材３を構成し、該コーナー造作部材３が上記出隅部のコーナー外表面に沿って折り曲げられた状態で装着されたとき該Ｖ字溝１１の一対の傾斜壁１１２、１１２を互いに過不足なく面接触させ、且つ、Ｖ字溝１１、１１で両側を仕切られたコーナー片１２の内面を出隅部の丸角部４に押接させたことを特徴とするコーナー造作部材であるら、該コーナー造作部材３を出隅部の丸角部４の外表面に沿って装着したとき、それぞれのＶ字溝１１の一対の傾斜壁１１２、１１２は互に過不足なく面接触し、該Ｖ字溝１１が完全に閉じられて隙間が生じないのであり、また、閉じたＶ字溝１１が基材１の内面から突出しないので、基材１が該丸角部４に馴染みやすく、更に、Ｖ字溝１１、１１で両側を仕切られたコーナー片１２の内面が丸角部４に線接触状態で押接するので該コーナー造作部材３が該丸角部４にしっかりと装着されるとともに、該コーナー造作部材３と該丸角部４との間の隙間も最小限に押さえられるのである。
【００１５】
請求項２記載の発明は、請求項１記載のコーナー造作部材において、上記Ｖ字溝１１で両側を仕切られたコーナー片１２を２個以上形成するとともに、該全てのコーナー片１２の内面を出隅部の丸角部４に押接させたコーナー造作部材であるから、複数個のコーナー片１２の内面が出隅部の丸角部４に押接し、該コーナー造作部材を一層確実に出隅部に装着できるのである。
【００１６】
請求項３記載の発明は、請求項１記載のコーナー造作部材において、上記Ｖ字溝１１で両側を仕切られた全てのコーナー片１２の水平断面形状を左右対称の台形としたコーナー造作部材であるから、コーナー造作部材３を出隅部の丸角部４に装着したとき、該コーナー造作部材３の湾曲部における外形はその水平断面形状が左右同一外形となり、見栄えがよいのである。
【００１７】
請求項４記載の発明は請求項１記載のコーナー造作部材において、上記Ｖ字溝１１で両側を仕切られたコーナー片１２の水平断面形状を左右非対称の台形としたから、コーナー造作部材３を出隅部の丸角部４に装着したとき、該コーナー造作部材３の湾曲部における外形はその水平断面形状が左右非対称の外形となり、顧客の要求に応じてコーナー造作部材の装着外形を選択できるのである。
【００１８】
又、請求項５記載の発明は、請求項２記載のコーナー造作部材において、上記複数のＶ字溝１１の底角部１１１のそれぞれの角度αを同値にした請求項１記載のコーナー造作部材であるから、コーナー片１２が同一の形状大きさになり、コーナー造作部材３を出隅部の丸角部４に装着したとき、該コーナー造作部材３の湾曲部における外形はその平断面形状が左右対称の外形となり、美観の向上を図ることができるのである。
【図面の簡単な説明】
【図１】本発明に係るコーナー造作部材の第一実施例の使用状態を示す部分平断面図。
【図２】上記第一実施例のコーナー造作部材の使用前の部分平面図。
【図３】本発明に係るコーナー造作部材の第二実施例の使用状態を示す部分平断面図。
【図４】上記第二実施例のコーナー造作部材の使用前の部分平面図。
【図５】本発明に係るコーナー造作部材の第三実施例の使用状態を示す部分平断面図。
【図６】上記第三実施例のコーナー造作部材の使用前の部分平面図。
【図７】本発明に係るコーナー造作部材の第四実施例の使用状態を示す部分平断面図。
【符号の説明】
１　　　　基材
１１　　　基材に設けたＶ字溝
１１１　　Ｖ字溝の底角部
１１２　　Ｖ字溝の一対の傾斜壁
１２　　　Ｖ字溝で仕切られたコーナー片
２　　　　表面材
３　　　　コーナー造作部材
４　　　　出隅部の丸角部
５　　　　柱
６　　　　内装壁
７　　　　内装壁の化粧シート
８　　　　内装壁の突合せ境界部
α　　　　Ｖ字溝の底角部の角度
【図１】
2004116003.tif 000003
【図２】
2004116003.tif 000004
【図３】
2004116003.tif 000005
【図４】
2004116003.tif 000006
【図５】
2004116003.tif 000007
【図６】
2004116003.tif 000008
【図７】
2004116003.tif 000009